(57)【特許請求の範囲】
【請求項１】
コネクタハウジングの背面から引き出された電線を、前記背面に沿って屈曲させた状態に強制する電線保持具を備えたコネクタであって、
前記電線保持具は、前記電線を結束させて保持する保持手段と、前記コネクタハウジングの背面に解離可能に係止して電線引っ張り力に抗する係止手段とを備え、
前記コネクタハウジングの背面にはこの背面と面一な起立壁が立設されるとともに、前記係止手段は、前記起立壁に係止する一方、この起立壁の内面に前記係止手段が当接することで、前記電線引っ張り力に抗することを特徴とする電線保持具を備えたコネクタ。
【請求項２】
前記起立壁にはその端縁から差込み溝が切り込み形成され、一方、前記係止手段は前記差込み溝に対し入り口側から差し込み可能な幅狭部が形成され、かつこの幅狭部には前記差込み溝より幅広に形成され前記起立壁の内面に当接することで、前記電線に対する引っ張り力を受承する受圧面が連続していることを特徴とする請求項１記載の電線保持具を備えたコネクタ。
【請求項３】
前記起立壁には差し込み孔が貫通して形成される一方、電線保持具には、前記差し込み孔へ差し込み可能な軸部とこの軸部に張り出し状に設けられかつ縮径変形することで前記差し込み孔を貫通可能であり、貫通孔を通過した後は拡径して前記起立壁の内面に当接することで前記電線の引っ張り力を受承する鍔片が形成されていることを特徴とする請求項１記載の電線保持具を備えたコネクタ。
【請求項４】
前記差込み溝の入り口部分には、幅狭部の差込みは許容するが幅狭部の通過後には幅狭部の抜けを規制可能なスロート部が形成されていることを特徴とする請求項２記載の電線保持具を備えたコネクタ。
【発明の詳細な説明】
【０００１】
【発明の属する技術分野】
本発明は、電線保持具を備えたコネクタに関するものである。
【０００２】
【従来の技術】
従来より、コネクタハウジングの背面から電線の引き出しがなされているものでは、電線に引っ張り力が作用すると、各電線に接続された端子金具においてコネクタハウジング内で係止されている部分（ランス）に直接、引っ張り力が及んでしまう。そのため、従来ではコネクタハウジングの背面にカバーを取り付け、電線を一旦、屈曲させた後に後方へ引き出すようにしたものが知られている。例えば、図１３および図１４に示されるような特開平９−１６１８８３号公報のものを挙げることができる。
図１３及び図１４に示すカバー１００は、その両側面にコネクタハウジング１０１の突起１０２に係止される係止腕１０３が設けられ、カバー１００の装着がなされるときに、カバー１００の底面とコネクタハウジング１０１の下面との間に電線Ｗを噛み込ませ、電線ＷをＵ字状に折り返すことができるようにしている。
【０００３】
【発明が解決しようとする課題】
しかしながら、上記のように電線Ｗをカバー１００とコネクタハウジング１０１との間で噛み込ませつつ屈曲させる方式では、カバー１００の装着がし辛く、特に電線径が大きいものでは装着に際して大きな力が必要となっていた。また、カバー１００の両側にロック手段（係止腕）を配しているため、その分、コネクタ全体としての幅寸法が増し、設置スペースが幅方向に制約を受ける場合に不利となる、という問題点もあった。
本発明の目的は、組み付け作業性に優れる電線保持具を備えたコネクタを提起要することである。
【０００４】
【課題を解決するための手段】
上記の目的を達成するための請求項１の発明は、コネクタハウジングの背面から引き出された電線を、前記背面に沿って屈曲させた状態に強制する電線保持具を備えたコネクタであって、前記電線保持具は、前記電線を結束させて保持する保持手段と、前記コネクタハウジングの背面に解離可能に係止して電線引っ張り力に抗する係止手段とを備え、前記コネクタハウジングの背面にはこの背面と面一な起立壁が立設されるとともに、前記係止手段は、前記起立壁に係止する一方、この起立壁の内面に前記係止手段が当接することで、前記電線に対する引っ張り力に抗する構成とされているところに特徴を有する。
【０００５】
また請求項２の発明は、請求項１記載のものにおいて、前記起立壁にはその端縁から差込み溝が切り込み形成され、一方、前記係止手段は前記差込み溝に対し入り口側から差し込み可能な幅狭部が形成され、かつこの幅狭部には前記差込み溝より幅広に形成され前記起立壁の内面に当接することで、前記電線に対する引っ張り力を受承する受圧面が連続しているところに特徴を有する。
【０００６】
さらに請求項３の発明は、前記起立壁には差し込み孔が貫通して形成される一方、電線保持具には、前記差し込み孔へ差し込み可能な軸部とこの軸部に張り出し状に設けられかつ縮径変形することで前記差し込み孔を貫通可能であり、貫通孔を通過した後は拡径して前記起立壁の内面に当接することで前記電線の引っ張り力を受承する鍔片が形成されているところに特徴を有する。
【０００７】
さらにまた請求項４の発明は、請求項２記載のものにおいて、前記差込み溝の入り口部分には、幅狭部の差込みは許容するが幅狭部の通過後には幅狭部の抜けを規制可能なスロート部が形成されていることを特徴とするものである。
【０００８】
【作用】
請求項１の発明によれば、コネクタハウジングから引き出された電線を保持手段によって結束して保持させた後、係止手段にてコネクタハウジングの背面の起立壁に係止させる。これにより、電線はコネクタハウジングの背面に沿った状態で取り付けられる。したがって、電線に対して後方への引っ張り力が作用しても、係止手段とコネクタハウジングの背面の起立壁との係止部分に引っ張り力が作用するだけで、電線に接続された端子金具側にその影響が及ぶことはない。
このように、請求項１では電線を保持手段にて保持した後、単にコネクタハウジングの背面の起立壁へ電線保持具の取付けを行うだけでよいため、つまり、電線保持具は従来のようにハウジングとの間で電線を噛み込んで装着されるものでないため、取付けに大きな力を必要としない。
【０００９】
請求項２の発明では、電線を保持した状態にある電線保持具のコネクタハウジングへの取り付けは、幅狭部を差込み溝の開口端より差し込むことによって行われる。そして、電線に対し引っ張り力が作用したときには、受圧面が起立壁の内側面に面当りしてこれに抗するため、引っ張り力を確実に受承することができる。
【００１０】
請求項３の発明によれば、電線を保持した状態にある電線保持具をコネクタハウジングへ取り付ける場合には、鍔片を差し込み孔へ押し嵌める。このとき、鍔片は縮径変形することで差し込み孔を通過し、通過後には拡径して抜け止めがなされる。これにより、電線に対して引っ張り力が作用したときには、鍔片が起立壁の内面に当接してこれに抗する。
【００１１】
請求項４の発明によれば、電線保持具をコネクタハウジングに取り付けるにあたり、幅狭部を差込み溝に押し込むと、幅狭部はスロート部を拡開させつつ差込み溝の奥部へ入り込む。すると、スロート部は復帰して幅狭部の戻りを規制するため、電線保持具の抜けが自動的に防止される。
【００１２】
【発明の実施の形態】
−第１実施形態−
図１〜図６は本発明の第１実施形態を示すものである。図中、１は合成樹脂製のコネクタハウジングであり、内部には複数のキャビティ２が前後方向に貫通して形成されている。各キャビティ２の内部には電線Ｗの先端に接続された端子金具と係合して抜け止めを行う図示しないランスがそれぞれ形成されている。また、コネクタハウジング１の上面には、このコネクタハウジング１に嵌合可能な相手側コネクタハウジングとのロックを行うためのロックアーム３が撓み変形可能に設けられている。
【００１３】
また、コネクタハウジング１の上面の後縁には、その全幅に亘って起立壁４が立設されている。この実施の形態では、起立壁４の強度確保等の関係から、コネクタハウジング１の両側縁にかけても延びており、全体として平面コの字状をなして形成されている。さらに、起立壁４の中央にはその上縁からコネクタハウジング１の上面に至る深さをもって差込み溝５が縦向きに形成されている。差込み溝５の入り口側には一対の突片６が間隔を狭めて向き合っており、これらの間は拡開方向の撓み変形可能な幅狭のスロート部７となっている。両突片６の開口側は電線保持具Ｈ１の差込みの際の誘い込みを行うために、外向きに拡開するテーパー状をなしている。また、両突片６の下縁はスロート部７の向きと直交する方向（水平方向）に形成され、電線保持具Ｈ１の幅狭部８と係合する係止面９となっている。
【００１４】
次に、電線保持具Ｈ１について説明すると（主として図６参照）、電線保持具Ｈ１は一対の保持板１０Ａ，１０Ｂを有し、その間の中央を幅狭部８で連結している。一方の保持板１０Ａの外面には、電線Ｗを結束するためのクランプ１１が設けられている。この実施形態のクランプ１１は可撓性を有する一対のバンド片１２Ａ，１２Ｂを備え、一方のバンド片１２Ａの片面には長さ方向に沿って鋸歯状に多数の係止縁１３が形成され、他方のバンド片１２Ｂの先端には方形枠状の連結具１４が形成されている。連結具１４は一方のバンド片１２Ａを挿通可能であるとともに、その開口縁には任意の係止縁１３を解離可能に係止するフック爪１５が撓み変形可能に形成されている。
【００１５】
また、両保持板１０Ａ，１０Ｂを連結する幅狭部８は両保持板１０Ａ，１０Ｂの高さよりも低めに形成されかつその幅は前記スロート部７より幅広に設定されており、電線保持具Ｈ１全体の押し込み力によって両突片６間を、つまりスロート部７を拡開させながら通過し、スロート部７を通過後に突片６が復帰することに伴って、その上面が両係止面９と係止して電線保持具Ｈ１全体の抜け止めがなされるようになっている。こうして、幅狭部を差込み溝へ差し込んだときには、電線保持具Ｈは両保持板１０Ａ，１０Ｂ間で起立壁４を挟み込んだ状態でコネクタハウジング１に取り付けられる。そして、保持板１０Ａ，１０Ｂのうち起立壁４の内側に位置するものの内面は、起立壁４の内面に当接することで電線Ｗの引っ張り力に抗する受圧面１６となる。
なお、保持板１０Ａ，１０Ｂは起立壁４の内側にはまり込むことができる程度の幅寸法に形成され、その高さは電線保持具Ｈをコネクタハウジング１に取り付けたときにはその上縁が起立壁４の上縁と面一かそれより低位となるように形成されている。
【００１６】
次に、上記のように構成された第１実施形態の作用効果を説明すると、コネクタハウジング１の各キャビティ２に対して電線Ｗに接続された端子金具を挿入する。これによって、各端子金具はキャビティ２内の図示しないランスと弾性的に係止して抜け止めがなされる。こうして、コネクタハウジング１の背面から引き出された各電線Ｗを電線保持具Ｈ１のクランプ１１によって結束する。すなわち、各電線Ｗを両バンド片１２Ａ，１２Ｂにて束ね、係止縁１３が形成されている側のバンド片１２Ａを連結具１３に通し、各電線Ｗが緊締されるまでバンド片１２Ａ，１２Ｂを縛り込んだ状態で係止縁１３とフック爪１５とを係止させる。これにより、各電線Ｗは結束状態で電線保持具Ｈに保持される。
【００１７】
次に、電線保持具Ｈ１の幅狭部８を差込み溝５の開口部に適合させてそのまま押し込んでやると、幅狭部８は両突片６を押し広げることでスロート部７を拡開させ、スロート部７を通過後には復帰した両突片６の係止面９によって抜け止めがなされる。かくして、電線保持具Ｈ１がコネクタハウジング１に取り付けられる結果、各電線Ｗがコネクタハウジング１の背面に沿って屈曲状態で保持される。その後、各電線Ｗはコネクタハウジング１の後方へ延出されるのであるが、電線Ｗに引っ張り力が作用しても、この引っ張り力は電線保持具Ｈ１に作用し、キャビティ２内の図示しないランス部分には作用しない。より詳しくは、電線保持具Ｈ１に作用した引っ張り力は受圧面１６が起立壁４の内面に当接することで受承される。つまり、受圧面４全体でこの引っ張り力に抗するため、コネクタハウジング１側の不用意な変形を生じさせず、引っ張り力を確実に受け止めることができる。
【００１８】
また、この実施形態では両保持板１０Ａ，１０Ｂは起立壁４より幅狭に形成されるから、電線保持具Ｈがコネクタハウジング１の幅方向に突出することがなく、したがって従来に比較してコネクタ全体として幅方向に大型化することが回避でき、設置スペースに制約が有る場合に有効である。
さらに、従来のようにカバーを使って電線Ｗの屈曲を行うようなものでは、電線Ｗを噛み込む関係で装着時に大きな力を必要としていたが、この実施形態では、電線保持具Ｈ１の取付けによって電線Ｗの屈曲を行い、かつ電線保持具Ｈ１の取付けは単に差込み溝５への差込みによってのみ行われるため、取付けに際して必要な力は小さくてすむ。
【００１９】
−第２実施形態−
図７は本発明の第２実施形態に係る電線保持具Ｈ２を示すものである。この実施形態では、両保持板１０Ｃ，１０Ｄを円板状に形成したものであり、幅狭部８は両保持板１０Ｃ，１０Ｄの中心同士を連結した構造となっている。このように保持板１０Ｃ，１０Ｄを円板状に形成することで、コネクタハウジング１の差込み溝５に対する取付け方向に制約がなくなり、作業性に優れたものとなる。
他の構成は、第１実施形態と同様であり、同様の作用効果を発揮する。
【００２０】
−第３実施形態−
図８は本発明の第３実施形態に係る電線保持具Ｈ３を示すものである。前記した両実施形態ではいずれも保持板が一対、備えられたものを示したが、この実施形態では、受圧面１６を有する側の保持板１０Ｅ（起立壁の内側に当接する側の保持板）のみ設けられている。また、クランプ１１は幅狭部８の前面中央部に配されている。
このような構造であれば、第１，第２の実施形態の電線保持具よりも構造がより簡素化される利点がある。
他の構成は第１，第２の実施形態と同様であり、同様の作用効果を発揮することができる。
【００２１】
−第４実施形態−
図９は本発明の第４実施形態に係るコネクタハウジング１Ａを示すものであり、起立壁４に設けられる差込み溝５を横向きに形成したものである。この構成では、電線Ｗが上方へ引っ張られたときに、差込み溝５の開口方向がこの引っ張り方向と直交する方向であることから、電線保持具が外れ難くなるという効果が得られる。
他の構成は前記した各実施形態と同様であり、同様の作用効果を発揮することができる。
【００２２】
−第５実施形態−
図１０〜図１２は本発明の第５実施形態を示すものである。この実施形態におけるコネクタハウジング１Ｂは、起立壁４が上面の後縁のみに立設されており、その中央部には円形の差し込み孔１７が貫通している。一方、電線保持具Ｈ４は前記した各実施例のバンド片と同様の構成に係るものが使用されるとともに、このバンド片の中央部にクリップ１８が備えられている。クリップは、差し込み孔へ差し込み可能な軸部１８Ａとこの軸部１８Ａの先端側に拡開および窄み変形可能な一対の鍔片１８Ｂを備えた構造となっている。鍔片１８Ｂは、窄み変形して差し込み孔１７を通過可能であるが、通過後には拡開状態に復帰して起立壁の内面側に突っ張る。こうすることで、電線Ｗに対する引っ張り力に抗することができる。
このような構成によっても、前記した各実施形態と同様の作用効果を発揮することができる。
【００２３】
なお、本発明は種々の変更が可能であり、次のような変形例も本発明の技術的範囲に含まれる。
▲１▼いずれの実施形態においても、電線Ｗに対するクランプは電線保持具に一体に形成される必要はなく、別体のものであってもよい。また、クランプの方式はバンドによって締め上げる方式でなくともよく、単にリング状をなしたものに電線Ｗを通すだけの構造のものであってもよい。この場合、電線Ｗを一括して挿通するものの他、多数の通し孔をもって個別に挿通するようなものでもよい。
▲２▼いずれの実施形態もコネクタハウジング側に差込み溝あるいは差し込み孔を形成したが、これらを電線保持具側に配し、起立壁側に幅狭部あるいはクリップを配してもよい。
【図面の簡単な説明】
【図１】第１実施形態において電線保持具を取り付ける前の状態を示す斜視図
【図２】同じく取り付け後の状態を示す斜視図
【図３】幅狭部が差込み溝内で係止されている状態の要部を示す断面図
【図４】同じく側方から見た断面図
【図５】電線の結束部分を示す断面図
【図６】電線保持具を裏側から見た斜視図
【図７】第２実施形態に係る電線保持具を裏側から見た斜視図
【図８】第３実施形態に係る電線保持具を裏側から見た斜視図
【図９】第４実施形態に係るコネクタハウジングの背面図
【図１０】第５実施形態に係るコネクタの斜視図
【図１１】同じく電線保持具の取付け前の状態を示す側面図
【図１２】同じく取付け後の状態を示す側面図
【図１３】従来のコネクタを示す分解斜視図
【図１４】同じく組み付け状態の側面図
【符号の説明】
１…コネクタハウジング
４…起立壁
５…差込み溝
７…スロット部
８…幅狭部（係止手段）
１０Ａ〜１０Ｅ…保持板（係止手段）
１１…クランプ（保持手段）
１６…受圧面
１７…差込み孔
【図１】
0003552532.tif 000002
【図２】
0003552532.tif 000003
【図３】
0003552532.tif 000004
【図４】
0003552532.tif 000005
【図５】
0003552532.tif 000006
【図６】
0003552532.tif 000007
【図７】
0003552532.tif 000008
【図８】
0003552532.tif 000009
【図９】
0003552532.tif 000010
【図１０】
0003552532.tif 000011
【図１１】
0003552532.tif 000012
【図１２】
0003552532.tif 000013
【図１３】
0003552532.tif 000014
【図１４】
0003552532.tif 000015